(57)【要約】  【課題】  すべり板の小型化、設置スペースの狭小化を図れ、また変形後に上部構造体を元の位置に復帰させる復元力を持たせることにより積層ゴム支承の併用を不要とする剛すべり支承装置を提供する。  【解決手段】  上部構造体Ａの下面側に固定された上部すべり板５と、下部構造体Ｂの上面側に固定された下部すべり板７との間に、低摩擦係数のすべり材質層８と金属製の中間すべり板９を交互に複数枚積み重ねる。上部すべり板５、中間すべり板９、及び下部すべり板７の外周が被覆ゴム筒状体１０で覆われ、その被覆ゴム筒状体１０の内面は上部すべり板５の外周縁、中間すべり板９の外周縁、及び下部すべり板７の外周縁にそれぞれ加硫接着しており、被覆ゴム筒状体１０の内面と各すべり材質層８の外周縁との間には隙間１１が形成される。【選択図】      図１
2005207460.tif 000002
【特許請求の範囲】
【請求項１】
上部構造体の下面側に固定されるポット沓の下面に設けた凹部内に鉛直変形用ゴムを介して金属製の上部すべり板を嵌合保持しており、
下部構造体の上面側に固定される取付けフランジの上面に金属製の下部すべり板を固定しており、
前記上部すべり板と下部すべり板との間に、低摩擦係数のすべり材質層と金属製の中間すべり板を交互に複数枚積み重ねており、
前記上部すべり板と最上段の前記中間すべり板との間に介在された前記すべり材質層は、前記上部すべり板又は最上段の中間すべり板のいずれか一方に接合一体化され、他方に対しては水平方向に相対摺動自在とされており、
前記中間すべり板どうし間に介在された前記すべり材質層は、一方の中間すべり板に接合一体化され、他方の中間すべり板に対しては水平方向に相対摺動自在とされており、
前記下部すべり板と前記最下段の中間すべり板との間に介在された前記すべり材質層は、前記下部すべり板又は最下段の中間すべり板のいずれか一方に接合一体化され、他方に対しては水平方向に相対摺動自在とされており、
前記上部すべり板、中間すべり板、及び下部すべり板の外周が被覆ゴム筒状体で覆われ、その被覆ゴム筒状体の内面は前記上部すべり板の外周縁、前記中間すべり板の外周縁、及び前記下部すべり板の外周縁にそれぞれ加硫接着しており、前記被覆ゴム筒状体の内面と各すべり材質層の外周縁とは非接着状態でその間に隙間が形成されていることを特徴とする、剛すべり支承装置。
【請求項２】
前記上部すべり板の凹部より突出した部分の外周に溝を設け、前記ポット沓の下面に重合一体結合した内部フランジの内周縁を前記溝に嵌合している、請求項１記載の剛すべり支承装置。
【発明の詳細な説明】
【技術分野】
【０００１】
本発明は、建物や橋梁等の免震に使用される剛すべり支承装置に関する。
【背景技術】
【０００２】
従来の剛すべり支承装置として、例えば、図６に示すようなものがある（例えば、特許文献１参照。）。この図６に示される剛すべり支承装置は、建物や橋梁等の上部構造体Ａの下面側にポット沓２０を固定し、このポット沓２０の凹部２１内に鉛直変形用ゴムシート２２を介して金属製の上部すべり板２３を嵌合保持し、一方、建物基礎や橋脚等の下部構造体Ｂの上面側に金属製の下部すべり板２４を固定し、この下部すべり板２４の上面に直貼り固定したステンレス板等のすべり材質層２５と、上部すべり板２３の下面に直貼り固定した摩擦係数の小さいフッ素樹脂板等のすべり材質層２６とを水平方向に相対摺動させてなる剛すべり支承装置である。
【０００３】
この剛すべり支承装置では、ポット沓２０内の鉛直変形用ゴムシート２２により上部構造体Ａの鉛直方向の振動を吸収するとともに、地震時の揺れが上部構造体Ａにできる限り伝わらないように上下のすべり材質層２５，２６間での摩擦抵抗をできるだけ少なくするが、地震時の変形後に上部構造体Ａを元の位置に復帰させる復元力を持っていないため、積層ゴム支承と併用することにより免震システムとして成り立っている。
【０００４】
【特許文献１】特開２００２−７０９４３（段落番号［０００２］、図４）
【発明の開示】
【発明が解決しようとする課題】
【０００５】
しかしながら、上記剛すべり支承装置では、積層ゴム支承を併設する必要があるため、施工性や設置コスト面で不利であり、また下部すべり板２４は水平方向の変形分の広い面積を要することから、かなり広い設置スペースが必要となり、この点でも設置コストが高くなるという問題があった。
【０００６】
そこで本発明の目的は、このような問題を解決するためになされたものであり、すべり板の小型化、設置スペースの狭小化を図れ、また変形後に上部構造体を元の位置に復帰させる復元力を持たせることにより積層ゴム支承の併用を不要とする剛すべり支承装置を提供することにある。
【課題を解決するための手段】
【０００７】
上記目的を達成するために、本発明の剛すべり支承装置は以下のように構成してあることに特徴を有する。
上部構造体の下面側に固定されるポット沓の下面に設けた凹部内に鉛直変形用ゴムを介して金属製の上部すべり板を嵌合保持する一方、下部構造体の上面側に固定される取付けフランジの上面に金属製の下部すべり板を固定する。前記上部すべり板と下部すべり板との間には、低摩擦係数のすべり材質層と金属製の中間すべり板を交互に複数枚積み重ねる。前記上部すべり板と最上段の前記中間すべり板との間に介在された前記すべり材質層は、前記上部すべり板又は最上段の中間すべり板のいずれか一方に接合一体化され、他方に対しては水平方向に相対摺動自在とされる。前記中間すべり板どうし間に介在された前記すべり材質層は、一方の中間すべり板に接合一体化され、他方の中間すべり板に対しては水平方向に相対摺動自在とされる。前記下部すべり板と前記最下段の中間すべり板との間に介在された前記すべり材質層は、前記下部すべり板又は最下段の中間すべり板のいずれか一方に接合一体化され、他方に対しては水平方向に相対摺動自在とされる。前記上部すべり板、中間すべり板、及び下部すべり板の外周は被覆ゴム筒状体で覆われ、その被覆ゴム筒状体の内面は前記上部すべり板の外周縁、前記中間すべり板の外周縁、及び前記下部すべり板の外周縁にそれぞれ加硫接着しており、前記被覆ゴム筒状体の内面と各すべり材質層の外周縁とは非接着状態でその間に隙間が形成されている。
【０００８】
一つの好適な態様として、本発明による剛すべり支承装置は前記上部すべり板の凹部より突出した外周に溝を設け、前記ポット沓の下面に重合一体結合した内部フランジの内周縁を前記溝に嵌合することができる。
【発明の効果】
【０００９】
上記構成の剛すべり支承装置によれば、ポット沓の凹部内の鉛直変形用ゴムにより上部構造体の鉛直方向の振動を吸収することができる。
上部すべり板と下部すべり板との間に、低摩擦係数のすべり材質層と金属製の中間すべり板を交互に積み重ね、被覆ゴム筒状体の内面は上部すべり板の外周縁、中間すべり板の外周縁、及び下部すべり板の外周縁にそれぞれ加硫接着し、被覆ゴム筒状体の内面と各すべり材質層の外周縁との間には隙間を形成しているので、地震時には上部すべり板と最上段の中間すべり板との間、中間すべり板どうし間、および下部すべり板と最下段の中間すべり板との間でそれぞれ低摩擦係数のすべり材質層を介して滑らかなすべりが生じて水平方向に変形し、これにより地震の揺れが上部構造体に伝わるのをできるだけ抑制できる。
【００１０】
上部すべり板と下部すべり板との間に交互に積み重ねる中間すべり板とすべり材質層の枚数の増減調整や大きさ調整によって水平変形量を自由に設定できる。中間すべり板とすべり材質層の枚数調整によって水平変形量を設定できるため、下部すべり板及び中間すべり板は、従来の剛すべり支承装置の下部すべり板のごとく広い面積を要さずして小型化でき、設置面積を狭小化できる。
【００１１】
上部すべり板、中間すべり板、及び下部すべり板の外周を被覆ゴム筒状体で覆い、この被覆ゴム筒状体の内面は上部すべり板の外周縁、中間すべり板の外周縁、及び下部すべり板の外周縁にそれぞれ加硫接着しているので、この被覆ゴム筒状体は地震時の変形後に上部構造体を元の位置に戻す復元作用を働く。その復元力の調整は被覆ゴム筒状体の硬度を調整することによって可能である。したがって、従来の剛すべり支承装置のように積層ゴム支承を併用しなくて済み、それだけ施工性および設置コスト面において有利となる。加えて、被覆ゴム筒状体により金属製の上下すべり板及び中間すべり板の防錆効果も得られる。
【発明を実施するための最良の形態】
【００１２】
本発明の好適な実施形態を図面に基づき説明する。図１は本発明の一実施例を示す剛すべり支承装置の縦断面図、図２は図１の剛すべり支承装置が変形した状態の縦断面図、図３は図１の剛すべり支承装置を分解状態で示す縦断面図、図４は図１の剛すべり支承装置の上部すべり板、中間すべり板、及び下部すべり板の加硫成形前の状態の分解状態図、図５は他の実施例を示す剛すべり支承装置の縦断面図である。
【００１３】
図１において、本発明の剛すべり支承装置は、上部構造体Ａの下面側にポット沓２をボルト等で固定し、このポット沓２の下面に設けた凹部３内には上部構造体Ａの鉛直変形や回転に対応するための鉛直変形用ゴム４を介して金属製の上部すべり板５を嵌合保持する。一方、下部構造体Ｂの上面側に取付けフランジ６をボルト等で固定し、この取付けフランジ６の上面に金属製の下部すべり板７をボルト等で固定する。
【００１４】
上部すべり板５と下部すべり板７との間には、ＰＴＦＥ（ポリ四フッ化エチレン）等フッ素樹脂等による低摩擦係数のすべり材質層８と、ステンレス（ＳＵＳ３０４）やステンレスにＰＴＦＥをコーティングしたもの等による金属製の中間すべり板９とを交互に複数枚積み重ねる。上下すべり板５，７、中間すべり板９の材料、およびすべり材質層８の材料の種類で摩擦係数を自由に設定できる。
【００１５】
上部すべり板５と最上段の中間すべり板９との間に介在されるすべり材質層８は、上部すべり板５又は最上段の中間すべり板９のいずれか一方にコーティング等により接合一体化され、他方に対しては水平方向に相対摺動自在とされる。
中間すべり板９，９どうし間に介在されるすべり材質層８は、一方の中間すべり板９に接合一体化され、他方の中間すべり板９に対しては水平方向に相対摺動自在とされる。
下部すべり板７と最下段の中間すべり板９との間に介在されるすべり材質層８は、下部すべり板７又は最下段の中間すべり板９のいずれか一方に接合一体化され、他方に対しては水平方向に相対摺動自在とされる。
【００１６】
剛すべり支承装置に復元力を持たせるために、上部すべり板５、中間すべり板９、及び下部すべり板７の外周は所定硬度の被覆ゴム筒状体１０で被覆して加硫一体成型され、その被覆ゴム筒状体１０の内面は上部すべり板５の外周縁５ａ、中間すべり板９の外周縁９ａ、及び下部すべり板７の外周縁７ａにそれぞれ加硫接着され、被覆ゴム筒状体１０の内面と各すべり材質層８の外周縁とは非接着状態でその間に隙間１１が形成される。
【００１７】
上記構成の剛すべり支承装置は、例えば、次のような要領で組み立てられる。まず、図４に示されるごとき上部すべり板５、ＰＴＦＥ等フッ素樹脂等による低摩擦係数のすべり材質層８を上面にコーティングした複数枚の中間すべり板９、および同じくフッ素樹脂等によるすべり材質層８を上面にコーティングした下部すべり板７を図３中に示すごとく積み重ねる。次いで、図３中に示すように、これら上部すべり板５、中間すべり板９、及び下部すべり板７の外周を被覆ゴム筒状体１０で被覆して加硫一体成型する。その際、被覆ゴム筒状体１０の内面を上部すべり板５の外周縁５ａ、中間すべり板９の外周縁９ａ、及び下部すべり板７の外周縁７ａにそれぞれ加硫接着し、被覆ゴム筒状体１０の内面と各すべり材質層８の外周縁との間に隙間１１を形成する。次いで、このように作られた一体加硫成型品は、図３に示されるポット沓２と組み合わされる。この場合、ポット沓２の下面に設けた凹部３内に上部すべり板５を鉛直変形用ゴム４を介して嵌合保持するとともに、取付けフランジ６の上面に下部すべり板７をボルト等で一体的に結合固定する。
【００１８】
かくして、図１に示すように上部構造体Ａの下面側にポット沓２をボルト等で一体的に結合固定し、下部構造体Ｂの上面側に取付けフランジ６をボルト等で一体的に結合固定する。
【００１９】
このように上部構造体Ａと下部構造体Ｂとの間に設置された剛すべり支承装置は、地震時に、図２に示すように、上部すべり板５と最上段の中間すべり板９との間、中間すべり板９，９どうし間、および下部すべり板７と最下段の中間すべり板９との間でそれぞれ低摩擦係数のすべり材質層８を介して滑らかなすべりが生じて水平方向に変形することによって、地震の揺れが上部構造体Ａに伝わるのを抑制できる。図２の変形後は被覆ゴム筒状体１０の復元力によって上部構造体Ａは図１に示す元の位置に戻される。したがって、この剛すべり支承装置とは別に積層ゴム支承を併設しなくて済むため、それだけ施工が簡単になり、また設置コストを低減できる。
【００２０】
上記剛すべり支承装置の水平変形量Ｘは中間すべり板９とすべり材質層８の積み重ね枚数を調整することによって自由に設定できるので、下部すべり板７は図６に示す従来の下部すべり板２４のごとき大型に形成しなくて済み、小型化することができ、剛すべり支承装置の設置面積の減少を図ることができる。
【００２１】
図５は他の実施例を示す。この実施例では上部すべり板５の凹部３より突出した部分の外周に溝１２を設け、ポット沓２の下面に皿ビスやボルト１４等で重合一体結合した内部フランジ１３の内周縁１３ａを溝１２に嵌合している点が上記実施例の剛すべり支承装置と異なっており、その他の構成は上記実施例の剛すべり支承装置と全く同様である。
このように内部フランジ１３の内周縁１３ａを上部すべり板５の溝１２に嵌合しておけば、水平変形時に上部すべり板５が被覆ゴム筒状体１０により引っ張られて凹部３から外れるのを確実に防止できる。
【図面の簡単な説明】
【００２２】
【図１】本発明の一実施例を示す剛すべり支承装置の縦断面図である。
【図２】図１の剛すべり支承装置が変形した状態の縦断面図である。
【図３】図１の剛すべり支承装置を分解状態で示す縦断面図である。
【図４】図１の剛すべり支承装置の上部すべり板、中間すべり板、及び下部すべり板の加硫成形前の状態の分解状態図である。
【図５】他の実施例を示す剛すべり支承装置の縦断面図である。
【図６】従来例の剛すべり支承装置の縦断面図である。
【符号の説明】
【００２３】
２  ポット沓
３  凹部
４  鉛直変形用ゴム
５  上部すべり板
６  取付けフランジ
７  下部すべり板
８  すべり材質層
９  中間すべり板
１０  被覆ゴム筒状体
１１  隙間
１２  溝
１３  内部フランジ
１３ａ  内周縁
Ａ  上部構造体
Ｂ  下部構造体
【図１】
2005207460.tif 000003
【図２】
2005207460.tif 000004
【図３】
2005207460.tif 000005
【図４】
2005207460.tif 000006
【図５】
2005207460.tif 000007
【図６】
2005207460.tif 000008